(57)【特許請求の範囲】
【請求項１】
被捺染材を載置する載置面を有する載置台と、
前記載置台に載置された被捺染材において前記載置面よりも外側に位置する部分を前記載置台に対し両側で保持する保持手段と、
前記保持手段が被捺染材を保持する保持部分と前記載置面との相対的な位置を調整して前記載置面上の被捺染材のテンションを調整する調整手段と、
を備えたインクジェット捺染装置。
【請求項２】
請求項１に記載のインクジェット捺染装置において、前記調整手段は、前記載置面と交差する方向における前記位置を調整する、
ことを特徴とするインクジェット捺染装置。
【請求項３】
請求項１又は請求項２に記載のインクジェット捺染装置において、前記保持手段は、吸引によって被捺染材を保持する、
ことを特徴とするインクジェット捺染装置。
【請求項４】
請求項３に記載のインクジェット捺染装置において、前記保持手段は、被捺染材を吸引する際の吸引力を調整可能であり、被捺染材の種類に応じて前記吸引力を調整する、
ことを特徴とするインクジェット捺染装置。
【請求項５】
請求項１から請求項４のいずれか１項に記載のインクジェット捺染装置において、前記載置台に載置された被捺染材に向けてインクを吐出する捺染ヘッドを備え、
前記調整手段が、前記載置台を移動させることにより前記位置を調整するとともに、前記位置を調整した後の前記捺染ヘッドと前記載置面との間のギャップが一定となる様に前記位置を調整する、
ことを特徴とするインクジェット捺染装置。
【請求項６】
請求項１から請求項４のいずれか１項に記載のインクジェット捺染装置において、前記保持手段が、前記載置台の周囲と対向配置された保持部により被捺染材を保持する構成を有し、
前記調整手段が、前記保持部を移動させることにより前記位置を調整する、
ことを特徴とするインクジェット捺染装置。
【発明の詳細な説明】
【技術分野】
【０００１】
本発明は、搬送される被捺染材の捺染側の面に向けてインクを吐出して所望の捺染を実行する捺染ヘッドを備えたインクジェット捺染装置に関する。
【背景技術】
【０００２】
アパレル（衣服）メーカーやテキスタイル（布地）メーカーでは、従来から生地本体表面に図柄等をプリントする「捺染」が広く行われている。  
そして、捺染を行う捺染装置として、捺染ヘッドから吐出されたインクを被捺染材に付着させて捺染を実行するインクジェット捺染装置も開発されている。
【０００３】
この様なインクジェット捺染装置に特有の技術的課題として、被捺染材（例えば、布帛）のセッティング時の課題がある。例えば、布帛は印刷用紙とは異なり皺が生じ易く、これが捺染結果に悪影響を及ぼす虞がある。
【０００４】
布帛のセッティングに関する技術として、特許文献１には、プラテンの周囲に挿嵌してプラテンに載置された被印刷体に張力を与える枠を備えたプラテン装置が開示されている。このプラテン装置によれば、被印刷体をプラテンにセットすることが容易になると同時に、セット不良が起こりにくいといった作用効果が得られる。
【０００５】
また特許文献２には、柔軟な素材に対しても正確かつ確実に印刷を施すことを目的として、多数の細孔を備えた支持面と、細孔を通して被印刷物を吸引する吸引手段と、を備えた印刷補助ガイドが示されている。この印刷補助ガイドによれば、多数の細孔を通して被印刷物を吸引することによって被印刷物を支持面に沿った姿勢に吸着保持できるので、この様な印刷補助ガイドに被印刷部をセットし、その印刷補助ガイドを搬送して印刷を行うことで、適切な印刷結果を得ることができる。
【先行技術文献】
【特許文献】
【０００６】
【特許文献１】特開２００３−３１２０６９号公報
【特許文献２】特開２００４−２２４４９６号公報
【発明の概要】
【発明が解決しようとする課題】
【０００７】
ところで、布帛には素材や厚みの違いなどが存在する為、布帛のセッティングが布帛の種類に因らず一様であると、或る布帛は皺を除去できるが他の布帛は皺を除去できなかったり、また或る布帛は皺を除去できるものの張力をかけ過ぎとなり、後の捺染品質に悪影響を及ぼしたりする虞がある。また、特許文献１に記載のプラテン装置にあっては、被印刷体が載置されたプラテンに枠を嵌める構成であるので、厚手の被印刷体に対応できない場合がある。
【０００８】
そこで本発明はこの様な状況に鑑みなされたものであり、その目的は、被捺染材の種類に応じてフレキシブルなセッティングを行うことができ、そして被捺染材の皺を適切に低減或いは除去することのできるインクジェット捺染装置を提供することにある。
【課題を解決するための手段】
【０００９】
上記課題を解決する為の、本発明の第１の態様に係るインクジェット捺染装置は、被捺染材を載置する載置面を有する載置台と、前記載置台に載置された被捺染材において前記載置面よりも外側に位置する部分を前記載置台に対し両側で保持する保持手段と、前記保持手段が被捺染材を保持する保持部分と前記載置面との相対的な位置を調整する調整手段と、を備えたことを特徴とする。
【００１０】
本態様によれば、インクジェット捺染装置は被捺染材を載置する載置面と、被捺染材において載置面よりも外側に位置する部分を載置台に対し両側で保持する保持手段が被捺染材を保持する保持部分と、の相対的な位置を調整可能であるので、前記位置を調整することで被捺染材は載置台の載置面上においてテンションが付与され、皺が除去されることとなる。そして前記位置が調整可能であることから、前記テンションを被捺染材に応じて調整することが可能となり、これにより被捺染材の種類に応じたフレキシブルなセッティングを行うことができ、皺を適切に低減或いは除去することができる。
【００１１】
尚、「載置台の両側」とは、例えば載置台が所定方向に移動可能である場合にはその移動方向に対して両側と言う様に限定されるものではなく、載置台の形状や移動方向などには関係無く、載置台の一方の側方と、その反対側の他方の側方と、の両方という意味であり、つまり前記位置の調整によって被捺染材にテンションを付与できる様に保持できる位置関係であれば良い。
【００１２】
本発明の第２の態様は、第１の態様において、前記調整手段は、前記載置面と交差する方向における前記位置を調整することを特徴とする。  
本態様によれば、前記調整手段は、前記載置面と交差する方向における前記位置を調整するので、前記載置面上からの被捺染材の浮き上がりを抑えつつ、被捺染材に適切にテンションを付与することができる。
【００１３】
本発明の第３の態様は、第１の又は第２の態様において、前記保持手段は、吸引によって被捺染材を保持することを特徴とする。  
本態様によれば、保持手段は吸引によって被捺染材を保持するので、被捺染材に仮に過剰なテンションが加わった場合には被捺染材において保持手段により保持された部分が或る程度動くことができ、被捺染材に過剰な伸びが生じることを防止でき、良好な捺染結果を得ることができる。
【００１４】
本発明の第４の態様は、第３の態様において、前記保持手段は、被捺染材を吸引する際の吸引力を調整可能であり、被捺染材の種類に応じて前記吸引力を調整することを特徴とする。  
本態様によれば、被捺染材の種類に応じて前記吸引力を調整するので、被捺染材の種類に応じて、上述した第２の態様の作用効果をより適切に得ることができる。
【００１５】
本発明の第５の態様は、第１から第４の態様のいずれかにおいて、前記載置台に載置された被捺染材に向けてインクを吐出する捺染ヘッドを備え、前記調整手段が、前記載置台を移動させることにより前記位置を調整するとともに、前記位置を調整した後の前記捺染ヘッドと前記載置面との間のギャップが一定となる様に前記位置を調整することを特徴とする。
【００１６】
本態様によれば、前記調整手段が、前記載置台を移動させることにより前記位置を調整するとともに、前記位置を調整した後の前記捺染ヘッドと前記載置面との間のギャップが一定となる様に前記位置を調整するので、前記載置台の位置に応じて前記捺染ヘッドの位置を調整する構成が不要となり、或いは前記捺染ヘッドの位置調整が僅かで済むことから、前記ギャップの適正値からのズレやばらつきを抑えることができ、また装置構成の簡易化によって低コスト化を図ることができる。
【００１７】
本発明の第６の態様は、第１から第４の態様のいずれかにおいて、前記保持手段が、前記載置台の周囲と対向配置された保持部により被捺染材を保持する構成を有し、前記調整手段が、前記保持部を移動させることにより前記位置を調整することを特徴とする。
【００１８】
本態様によれば、前記保持手段が、前記載置台の周囲と対向配置された保持部により構成された上で、当該保持部が移動する構成であることから、前記載置台を移動させる構成が不要となり、即ち捺染ヘッドと載置台との間のギャップを変化させることなく載置台と保持手段との相対的な位置を調整できる。従って前記ギャップの適正値からのズレやばらつきを抑えることができ、また装置構成の簡易化によって低コスト化を図ることができる。
【図面の簡単な説明】
【００１９】
【図１】本発明に係るインクジェット捺染装置の外観斜視図。
【図２】本発明に係るインクジェット捺染装置の側面図。
【図３】被捺染材及び載置台に載置された被捺染材の状態を示す図。
【図４】載置台の正面図。
【図５】（Ａ）〜（Ｃ）は被捺染材セット時の状態推移を示す図。
【図６】（Ａ）〜（Ｃ）は被捺染材セット時の状態推移を示す図。
【図７】（Ａ）〜（Ｃ）は被捺染材セット時の状態推移を示す図。
【発明を実施するための形態】
【００２０】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２１】
図１は本発明の一実施形態に係るインクジェット捺染装置１の外観斜視図、図２は同側面図、図３は被捺染材Ｐ及び載置台１７に載置された被捺染材Ｐの状態を示す図、図４は載置台１７の正面図である。また、図５（Ａ）〜（Ｃ）、図６（Ａ）〜（Ｃ）、図７（Ａ）〜（Ｃ）は、被捺染材Ｐセット時の状態推移を示す図であり、それぞれ異なる実施例を示している。
【００２２】
尚、図中においてｘ−ｙ−ｚ座標系は説明の便宜上方向を示したものであり、ｚ方向は鉛直（重力）方向、ｙ方向が被捺染材Ｐの搬送方向（載置台１７の移動方向）、ｘ方向がｙ方向及びｚ方向と直交する方向である。
【００２３】
図１、図２に示す様にインクジェット捺染装置１は、装置本体２の底部にガイドテーブル１０を備え、このガイドテーブル１０上を載置台１７が移動するよう構成されている。より詳しくは、ガイドテーブル１０にはｙ方向に平行なガイド軸１１がｘ方向に所定間隔を空けて配置されており、このガイド軸１１、１１によって、ベース１５がｙ方向にガイドされる様になっている。
【００２４】
２本のガイド軸１１、１１の間には、無端ベルト１２が、ｙ方向に沿って駆動プーリー１３と従動プーリー１４との間に係回されており、この無端ベルト１２の一部にベース１５が固定されている。駆動プーリー１３は駆動モーター９によって回転駆動され、これにより無端ベルト１２が稼働すると、ベース１５がｙ方向に移動する様になっている。
【００２５】
このベース１５上には、載置台１７と、その両側に吸引部１９とが設けられている。載置台１７は、その上面が被捺染材Ｐを載置する載置面１７ａとなっており、載置面１７ａ上に被捺染材Ｐを図３に示す様に載置し（図３の被捺染材Ｐは一例としてＴシャツを示している）、被捺染材Ｐが載置された載置台１７がｙ方向に移動することで、被捺染材Ｐは捺染ヘッドとしてのインクジェットヘッド２３の下を通過できる様になっている。  
尚、載置面１７ａは、載置台１７においてインクジェットヘッド２３と対向可能な面である。
【００２６】
載置台１７の両側に設けられた吸引部１９は、ベース３７を介してベース１５に設けられており、その内側には空洞部１９ｂが形成されている。そして、ベース１５上に配置された吸引ファン装置２５と空洞部１９ｂとがチューブ２６によって接続されている。
【００２７】
吸引部１９において載置台１７の周囲（ｘ方向側面）と対向する側面１９ｃには、空洞部１９ｂと連通する多数の吸引孔１９ａ（図４の拡大図Ａ）が形成されており、吸引ファン装置２５の稼働により、吸引孔１９ａを介した被捺染材Ｐの吸引が行える様になっている（詳細は後述）。尚、図４の拡大図Ａは、吸引部１９の側面１９ｃを正面視した図である。
【００２８】
次いで、インクジェット捺染装置１の装置前面右側には各種操作を行う為の操作パネル６が配置されており、装置前面において載置台１７を挟んで操作パネル６の反対側（装置左側）にはインクカートリッジを収容するインクカートリッジ収容部８が設けられている。
【００２９】
インクカートリッジ収容部８に収容されたインクカートリッジからインクが供給される、捺染実行部を構成するインクジェットヘッド２３は、インクを吐出するためのノズル孔（不図示）が複数並んだノズル列（不図示）を複数有する、公知の構造のインクジェットヘッドである。そしてこのインクジェットヘッド２３は搬送方向ｙと交差するｘ方向（図２において紙面面裏方向）に往復駆動されるキャリッジ２２に搭載されている。
【００３０】
尚、インクジェット捺染装置１は、インクジェットヘッド２３が搬送方向ｙと交差するｘ方向に移動しながらインクを吐出する所謂シリアル式として説明したが、インクジェットヘッド２３はラインヘッドであってもよいし、またこのラインヘッドが固定的に設けられていても、或いは搬送方向ｙに移動可能に設けられていても、いずれであっても良いのは勿論である。
【００３１】
そして載置台１７が図２の仮想線及び符号１７’で示す位置にまで搬送され（捺染開始位置）、載置台１７の装置前方側（図２において左側）への移動と、インクジェットヘッド２３からのインク吐出と、が交互に行われ、捺染が実行される。被捺染材Ｐへのインクの吐出が終了すると、載置台１７は図２の実線で示す位置（被捺染材Ｐのセット位置）にまで戻り、インクが吐出された被捺染材Ｐを取り出すことができる様になっている。
【００３２】
尚、制御部３は上述した駆動モーター９、キャリッジ２２（キャリッジ２２を駆動する図示しないモーター）、インクジェットヘッド２３、吸引ファン装置２５、モーター３１（後述）を制御する制御手段である。
【００３３】
続いて、載置台１７に載置された被捺染材Ｐを載置台１７の両側で保持する保持手段を構成する吸引部１９及び当該吸引部１９と載置台１７との相対的な位置（本実施形態では相対的な高さ位置）を調整する調整手段３０について説明する。
【００３４】
図４において、ベース１５上に設けられたベース部３５には、孔３５ａ、３５ａが形成されている。孔３５ａ、３５ａには載置台１７に設けられた軸３４、３４が遊挿され、これにより載置台１７が上下方向（インクジェットヘッド２２と載置面１７ａとの間のギャップが変化する方向）に変位可能となっている。
【００３５】
載置台１７にはナット３３が設けられており、このナット３３にはねじ軸３２が螺合している。ねじ軸３２はベース部３５に設けられたモーター３１により駆動され、モーター３１によってねじ軸３２が回転することにより、ねじ軸３２とナット３３との螺合を介して載置台１７が上下方向（ギャップ調整方向）に変位する様になっている。
【００３６】
この様に構成された被捺染材Ｐのセット構造において、被捺染材Ｐをセットする際には、図５（Ａ）に示す様に載置台１７をやや下方に下げた状態とする（段差ｄ）。尚、破線Ｌは吸引部１９の上面位置を示しており、載置台１７の載置面１７ａは、本実施例ではこの位置Ｌを上限位置とする。尚、図５〜図７では、図４に示した調整手段３０の構成や吸引孔１９ａ等は図面の簡略化の為に図示を省略している。
【００３７】
図５（Ａ）に示す状態では、吸引孔１９ａを介した吸引は行われておらず、作業者は載置面１７ａの上に被捺染材Ｐを載置し、そして被捺染材Ｐにおいて載置面１７ａから外側にはみ出た部分を吸引部１９と載置台１７との間（符号ｑで示す）に落とし込む。
【００３８】
次いで、作業者がセット完了ボタン（不図示）を押下すると、制御部３は吸引ファン装置２５をオンにし、これにより載置台１７に載置された被捺染材Ｐにおいて載置台１７から両側に垂下した部分（符号Ｐｔで示す）が吸引部１９に吸引され、吸引部１９側に吸着する（図５（Ｂ））。
【００３９】
次いで、制御部３は載置台１７を載置面１７ａが上限位置Ｌに到達するまで上昇させる（図５（Ｃ））。このとき、被捺染材Ｐの垂下部分Ｐｔは載置台１７の両側で吸引部１９に吸着されているので、被捺染材Ｐにはテンションが加わり、載置面１７ａ上に載置された部分の皺が除去される。
【００４０】
上記テンションは、被捺染材Ｐの垂下部分Ｐｔの吸引を開始するときの載置台１７の高さ位置を変更することにより、調整することができる為、制御部３は被捺染材Ｐの種類に応じて被捺染材Ｐの垂下部分Ｐｔの吸引を開始するときの載置台１７の高さ位置、即ち図５（Ｂ）の段差ｄを設定する。これにより、被捺染材Ｐに種類に応じた適切な皺除去効果を得ることができる。
【００４１】
以上の通り、上記実施形態によれば、載置台１７の載置面１７ａと、被捺染材Ｐの垂下部分Ｐｔを載置台１７に対し両側で保持する保持手段としての吸引部１９と、の相対的な高さ位置を調整可能であるので、前記高さ位置を調整することで被捺染材Ｐは載置面１７ａ上においてテンションが付与され、皺が除去される。そして前記高さ位置が調整可能であることから、前記テンションを被捺染材Ｐの種類に応じて調整することが可能となり、これにより被捺染材Ｐの種類に応じたフレキシブルなセッティングを行うことができ、皺を適切に低減或いは除去することができる。
【００４２】
特に、本実施形態では、載置面１７ａと吸引部１９との位置調整方向は、載置面１７ａと交差する方向であるので、載置面１７ａ上からの被捺染材Ｐの浮き上がりを抑えつつ、被捺染材Ｐに適切にテンションを付与することができる。
【００４３】
また、被捺染材Ｐの垂下部分Ｐｔは吸引によって保持されるので、被捺染材Ｐに仮に過剰なテンションが加わった場合には、垂下部分Ｐｔが吸引部１９の側面１９ｃで或る程度動く（滑る）ことができ、従って被捺染材Ｐに過剰な伸びが生じることを防止でき、良好な捺染結果を得ることができる。
【００４４】
従って、被捺染材Ｐの垂下部分Ｐｔを吸引する際の吸引力を、被捺染材Ｐの種類に応じて調整する様にすれば、より一層適切に垂下部分Ｐｔを保持することができ、被捺染材Ｐに過剰なテンションが加わることをより確実に防止することができる。
【００４５】
また、上記実施例では、載置面１７ａと吸引部１９との相対的な高さ位置を調整した後の、インクジェットヘッド２３と載置面１７ａとの間のギャップが一定となる様に、前記高さ位置を調整するので、載置台１７の高さ位置に応じてインクジェットヘッド２３の高さ位置を調整する構成が不要となり、或いはインクジェットヘッド２３の高さ位置調整が僅かで済むことから、前記ギャップの適正値からのズレやばらつきを抑えることができ、また装置構成の簡易化によって低コスト化を図ることができる。
【００４６】
尚、上記実施例では載置面１７ａが上限位置Ｌに到達するまで載置台１７を上昇させるが、被捺染材Ｐはその種類により厚みが異なる為、制御部８は、ドライバ情報に含まれる被捺染材Ｐの種類（厚み）に応じて、被捺染材Ｐの上面（捺染面）が上限位置Ｌと同一レベルとなる様に、載置台１７ａの高さ位置を調整しても良い。これは、後に説明する図７の実施例についても同様である。
【００４７】
次いで、図６に示す他の実施例は、図５に示す実施例とは異なり、初期状態において載置面１７ａと吸引部１９の上面とが同一レベルにある（図６（Ａ））。この状態で、被捺染材Ｐを載置面１７ａに載置し、吸引部１９によって垂下部分Ｐｔを吸引し（図６（Ｂ））、そして載置台１７を上昇させて被捺染材Ｐにテンションを付与し、皺を除去する（図６（Ｃ））。
【００４８】
図６に示す実施例においても、載置台１７の載置面１７ａと、被捺染材Ｐの垂下部分Ｐｔを載置台１７に対し両側で保持する保持手段としての吸引部１９と、の相対的な高さ位置が調整可能であることから、前記テンションを被捺染材Ｐの種類に応じて調整することが可能となり、これにより被捺染材Ｐの種類に応じたフレキシブルなセッティングを行うことができ、皺を適切に低減或いは除去することができる。
【００４９】
次いで、図７に示す他の実施例は、図５及び図６に示した実施例とは異なり、載置台（符号１７’）は上下動せずに吸引部（符号１９’）が上下動することで、載置面１７ａと吸引部１９’との相対的な高さ位置を調整する。
【００５０】
より具体的には、初期状態において載置面１７ａと吸引部１９’の上面とが同一レベルにある（図７（Ａ））。この状態で、被捺染材Ｐを載置面１７ａに載置し、吸引部１９’によって垂下部分Ｐｔを吸引し（図７（Ｂ））、そして吸引部１９’を下降させて被捺染材Ｐにテンションを付与し、皺を除去する（図７（Ｃ））。
【００５１】
この様に本実施例によれば、被捺染材Ｐの垂下部分Ｐｔを保持する保持部としての吸引部１９’が上下動する構成であることから、載置台１７’を上下動させる構成が不要となり、即ちインクジェットヘッドと載置台１７’との間のギャップを変化させることなく載置台１７’と吸引部１９’との相対的な高さ位置を調整できる。従って前記ギャップのばらつきを抑えることができ、また装置構成の簡易化によって低コスト化を図ることができる。尚、吸引部１９’を上下動させるための機構は、例えば図４に示した調整手段３０と同様な機構を設けることで実現できる。
【００５２】
以上説明した各実施形態は一例であり、本発明がこれら各実施形態に限られないことは言うまでもない。例えば、上記実施形態では載置台１７においてｘ方向の２辺で被捺染材Ｐの垂下部分Ｐｔを保持するが、これに代えて、ｙ方向の２辺で被捺染材Ｐの垂下部分Ｐｔを保持しても良いし、ｘ方向及びｙ方向のそれぞれ、即ち４辺で被捺染材Ｐの垂下部分Ｐｔを保持しても良い。
【００５３】
また、被捺染材Ｐの垂下部分Ｐｔを保持する保持手段は、上記実施例では吸引を利用するが、クリップ等の物理的保持手段によって垂下部分Ｐｔを保持しても良く、即ち載置台と保持手段との相対的な高さ位置を調整した際に被捺染材Ｐにテンションが加わる様に保持すればどの様に保持しても良い。
【００５４】
また、上記各実施例は載置台１７がｙ方向に移動する構成であるが、載置台１７が固定的に設けられた上で、インクジェットヘッド２３がｘ方向及びｙ方向に移動する構成であっても良い。即ち、載置台１７及びインクジェットヘッド２３については、それぞれ、固定的に設けられる場合、ｘ方向にのみ移動する場合、ｙ方向にのみ移動する場合、ｘ方向及びｙ方向のそれぞれに移動する場合、のこれら種々の形態と組み合わせをとり得る。また、インクジェットヘッド２３は、捺染領域をｘ方向或いはｙ方向にカバーする長さである所謂ラインヘッドであっても良い。
【００５５】
更に、上記各実施例は、載置面１７ａが水平となる様に載置台１７が設けられているが、必ずしも載置面１７ａが水平となる様に載置台１７を設ける必要はなく、載置面１７ａが水平面に対して所定の傾斜角を成す様に、或いは垂直面を成す様に載置台１７が設けられ、その際の載置面１７ａが成す方向に沿って載置台１７（或いはインクジェットヘッド２３）が移動可能に構成されていても良い。この場合、特に載置面１７ａが垂直面を成す構成においては、載置台１７（或いはインクジェットヘッド２３）はｚ方向（鉛直方向）に移動することとなる。
【００５６】
そして同様に、載置台１７の載置面１７ａと、保持手段（上記各実施例において吸引部１９）と、の相対的な位置調整も、上記各実施例の様に上下方向（鉛直方向）に限られるものではなく、載置台１７の設置状況（載置面１７ａが水平面に対してなす角度）等に応じて、上下方向以外の方向をとり得る。例えば、載置面１７ａが垂直面を成し、載置台１７がｚ方向（鉛直方向）に移動する構成であれば、上記位置調整方向は、水平方向が考えられる。また、上記位置調整方向は、必ずしも載置面１７ａと直交する方向に限られず、載置面１７ａと交差する方向であれば良い。即ち、載置面１７ａからの被捺染材Ｐの浮き上がりを抑えつつ、被捺染材Ｐにテンションを加えられる様な方向であれば良い。
【００５７】
また加えて、本発明は布帛等の被捺染材にインクを吐出するインクジェット捺染装置に対して適用したが、記録用紙等の被記録媒体に記録を行うインクジェット記録装置に適用することも可能である。
【符号の説明】
【００５８】
１  インクジェット捺染装置、２  装置本体、６  操作部、８  インクカートリッジ収容部、９  駆動モーター、１０  ガイドテーブル、１１  ガイド軸、１２  無端ベルト、１３  駆動プーリー、１４  従動プーリー、１５  ベース、１７  載置台、１７ａ  載置面、１７ｂ  空洞部、１９  吸引部、１９ａ  吸引孔、１９ｂ  空洞部、２２  キャリッジ、２３  インクジェットヘッド、２５  吸引ファン装置、２６  チューブ、３０  調整手段、３１  モーター、３２  ねじ軸、３３  ナット、３４  軸、３５  ベース部、３５ａ  ガイド孔、３７  ベース、５０  制御部、Ｐ  被捺染材
【図１】
0005843061.tif 000002
【図２】
0005843061.tif 000003
【図３】
0005843061.tif 000004
【図４】
0005843061.tif 000005
【図５】
0005843061.tif 000006
【図６】
0005843061.tif 000007
【図７】
0005843061.tif 000008